(57)【要約】【課題】表示装置において、操作ボタンの操作内容を分かりやすくして、ユーザが操作ボタンを操作する際の誤操作を防止する。【解決手段】ＴＶ受像機は、筐体背面に左右方向に配置された操作ボタン群と、ＯＳＤを表示可能なディスプレイ１４とを備え、操作ボタン群のいずれかの操作ボタンが操作されると、ディスプレイ１４に操作内容ＯＳＤ４０を表示する。操作内容ＯＳＤ４０は、操作ボタンのそれぞれに対応する操作ボタン画像３１ａ〜３１ｆと、操作ボタンのそれぞれの操作内容を示す操作内容表示３２ａ〜３２ｆとを含む。操作ボタン画像３１ａ〜３１ｆは、操作ボタンの配置と同様に左右方向に配置される。操作内容ＯＳＤ４０では、ユーザによって操作された操作ボタンに対応する操作ボタン画像３１ｃを赤色で表示し、それ以外の操作ボタン画像３１ａ、３１ｂ、３１ｄ〜３１ｆを白色で表示する。【選択図】図５
2012160952.tif 000002
【特許請求の範囲】
【請求項１】
映像を表示する表示手段と、
ユ−ザによって操作され、各種指示操作を行うための一群の操作ボタンと、
前記一群の操作ボタンのうちのいずれかの操作ボタンの操作に応じて、装置各部を制御する制御手段とを備える表示装置において、
前記一群の操作ボタンのうちのいずれかの操作ボタンが操作されたときに、前記一群の操作ボタンのそれぞれに対応する操作ボタン画像と、該一群の操作ボタンのそれぞれの操作内容の表示とを含むＯＳＤ（Ｏｎ  Ｓｃｒｅｅｎ  Ｄｉｓｐｌａｙ）を前記表示手段に表示するＯＳＤ表示手段をさらに備え、
前記制御手段は、ユーザによって前記一群の操作ボタンのうちのいずれかの操作ボタンが操作されると、前記ＯＳＤ表示手段を用いて、前記ＯＳＤを前記表示手段に表示した後、再度、同じ操作ボタンが操作された場合に、操作された操作ボタンに対応する処理を実行することを特徴とする表示装置。
【請求項２】
前記ＯＳＤ表示手段は、前記ＯＳＤにおいて、ユーザによって操作された前記操作ボタンに対応する前記操作ボタン画像を、前記一群の操作ボタンのうちの他の操作ボタンに対応する操作ボタン画像とは異なる表示形式で表示することを特徴とする請求項１に記載の表示装置。
【請求項３】
前記ＯＳＤ表示手段は、前記ＯＳＤにおいて、ユーザによって操作された前記操作ボタンに対応する前記操作ボタン画像の表示色を、前記一群の操作ボタンのうちの他の操作ボタンに対応する操作ボタン画像の表示色とは異なる表示色で表示することを特徴とする請求項２に記載の表示装置。
【請求項４】
前記ＯＳＤ内に表示される、前記一群の操作ボタンのそれぞれに対応する操作ボタン画像の配置は、前記一群の操作ボタンのそれぞれの配置を模したものであることを特徴とする請求項１乃至３のいずれか一項に記載の表示装置。
【発明の詳細な説明】
【技術分野】
【０００１】
本発明は、操作ボタンを備える表示装置に関する。
【背景技術】
【０００２】
近年、テレビジョン（以下、ＴＶという）受像機の筐体のナローベゼル化に伴い、操作ボタンを筐体の下面や側面や背面に配置するものが多くなっている。また、「音量アップ」等の操作ボタンの操作内容を筐体に表示していないものが多く、ユーザが、どの操作ボタンを操作するとどのような動作を行うのか分からないことがあり、意図していない操作ボタンを操作してしまう（誤操作をしてしまう）ことがある。
【０００３】
これに対して、特許文献１には、表示画面の明るさやコントラスト等を調整するための操作メニュー画面を表示画面に多重表示すると共に、操作メニューに対応した非接触スイッチを設け、ユーザが非接触スイッチを操作することで、入力された非接触スイッチの作動に対応した制御を行う表示装置が開示されている。しかしながら、この表示装置では、ユーザが意図しない非接触スイッチを操作した場合であっても、この非接触スイッチに対応する処理がすぐに実行されるため、誤操作を防止することができない。
【０００４】
また、特許文献２には、リモコンの映像入／切ボタンが一度押されると、マイコンがリモコン受光部を介してその信号を受け取り、液晶パネルに映像ミュートモードを実行しても良いかどうかを確認させる内容をオンスクリーン表示させた後、映像入／切ボタンが再度押された場合に、映像ミュートモードを実行するディスプレイ装置が開示されている。しかしながら、このディスプレイ装置では、上記のＴＶ受像機本体側の操作ボタンの誤操作の問題を解決することができない。
【０００５】
また、特許文献３には、ＩＥＥＥ１３９４規格準拠のＡＶ／Ｃコマンドを送信して外部録画機器の録画再生動作を制御する際に、ＧＵＩの操作ボタン（仮想リモコン）をＯＳＤ画面表示し、ユーザが押下指示した操作ボタンに対応するＡＶ／Ｃコマンドを直ちには送信せずに、押下指示の確認、更なるＧＵＩの操作ボタンの押下指示、押下指示のキャンセルのいずれかをユーザが選択可能なＧＵＩの選択用案内画面をＯＳＤ画面表示するデジタル放送受信装置が開示されている。しかしながら、このデジタル放送受信装置であっても、上記のＴＶ受像機本体側の操作ボタンの誤操作の問題を解決することができない。
【先行技術文献】
【特許文献】
【０００６】
【特許文献１】特開２００３−１５８６９２号公報
【特許文献２】特開２００５−２０７２５号公報
【特許文献３】特開２００４−３５７０１２号公報
【発明の概要】
【発明が解決しようとする課題】
【０００７】
本発明は、上述した問題点を解決するためになされたものであり、操作ボタンの操作内容を分かりやすくして、ユーザが操作ボタンを操作する際に、操作ボタンの誤操作を防止することができる表示装置を提供することを目的とする。
【課題を解決するための手段】
【０００８】
上記目的を達成するために請求項１の発明は、映像を表示する表示手段と、ユ−ザによって操作され、各種指示操作を行うための一群の操作ボタンと、前記一群の操作ボタンのうちのいずれかの操作ボタンの操作に応じて、装置各部を制御する制御手段とを備える表示装置において、前記一群の操作ボタンのうちのいずれかの操作ボタンが操作されたときに、前記一群の操作ボタンのそれぞれに対応する操作ボタン画像と、該一群の操作ボタンのそれぞれの操作内容の表示とを含むＯＳＤ（Ｏｎ  Ｓｃｒｅｅｎ  Ｄｉｓｐｌａｙ）を前記表示手段に表示するＯＳＤ表示手段をさらに備え、前記制御手段は、ユーザによって前記一群の操作ボタンのうちのいずれかの操作ボタンが操作されると、前記ＯＳＤ表示手段を用いて、前記ＯＳＤを前記表示手段に表示した後、再度、同じ操作ボタンが操作された場合に、操作された操作ボタンに対応する処理を実行するものである。
【０００９】
請求項２に記載の発明は、請求項１に記載の表示装置において、前記ＯＳＤ表示手段は、前記ＯＳＤにおいて、ユーザによって操作された前記操作ボタンに対応する前記操作ボタン画像を、前記一群の操作ボタンのうちの他の操作ボタンに対応する操作ボタン画像とは異なる表示形式で表示するものである。
【００１０】
請求項３に記載の発明は、請求項２に記載の表示装置において、前記ＯＳＤ表示手段は、前記ＯＳＤにおいて、ユーザによって操作された前記操作ボタンに対応する前記操作ボタン画像の表示色を、前記一群の操作ボタンのうちの他の操作ボタンに対応する操作ボタン画像の表示色とは異なる表示色で表示するものである。
【００１１】
請求項４に記載の発明は、請求項１乃至３のいずれか一項に記載の表示装置において、前記ＯＳＤ内に表示される、前記一群の操作ボタンのそれぞれに対応する操作ボタン画像の配置は、前記一群の操作ボタンのそれぞれの配置を模したものである。
【発明の効果】
【００１２】
請求項１の発明によれば、ユーザによって一群の操作ボタンのうちのいずれかの操作ボタンが操作されると、一群の操作ボタンのそれぞれの操作内容の表示を含むＯＳＤを表示する。そのため、一群の操作ボタンのそれぞれの操作内容をユーザが容易に知ることができるので、所望の操作内容を行う操作ボタンを容易に探し出すことができ、誤操作を防止することができる。また、所望の操作ボタンを探し出す手間も低減できる。
【００１３】
また、ＯＳＤを表示した後、再度、同じ操作ボタンが操作された場合に、操作された操作ボタンに対応する処理を実行するので、ユーザは、ＯＳＤにより、操作ボタンに対応する操作内容を確認した後に、操作ボタンに対応する処理の実行を指示するか否かを決めることができる。従って、操作ボタンの誤操作により、ユーザの意図しない処理が実行されることを防ぐことができる。
【００１４】
請求項２の発明によれば、ＯＳＤにおいて、ユーザによって操作された操作ボタンに対応する操作ボタン画像を、一群の操作ボタンのうちの他の操作ボタンに対応する操作ボタン画像とは異なる表示形式で表示する。そのため、ユーザは、自身が操作している操作ボタンに対応する操作ボタン画像を容易に探し出すことができると共に、その操作ボタンの操作内容を容易に知ることができる。従って、操作ボタンの誤操作により、ユーザの意図しない処理が実行されることを防ぐことができる。
【００１５】
請求項３の発明によれば、ＯＳＤにおいて、ユーザによって操作された操作ボタンに対応する操作ボタン画像の表示色を、一群の操作ボタンのうちの他の操作ボタンに対応する操作ボタン画像の表示色とは異なる表示色で表示する。そのため、ユーザは、自身が操作している操作ボタンに対応する操作ボタン画像をさらに容易に探し出すことができると共に、その操作ボタンの操作内容をより容易に知ることができる。従って、操作ボタンの誤操作により、ユーザの意図しない処理が実行されることを防ぐことができる。
【００１６】
請求項４の発明によれば、ＯＳＤ内に表示される一群の操作ボタンのそれぞれに対応する操作ボタン画像の配置は、一群の操作ボタンのそれぞれの配置を模したものである。そのため、ユーザは、一群の操作ボタンの配置と、一群の操作ボタン画像の配置とを参照することにより、自身が操作している操作ボタンに対応する操作ボタン画像を容易に探し出すことができる。
【図面の簡単な説明】
【００１７】
【図１】本発明の一実施形態にＴＶ受像機の斜視図。
【図２】上記ＴＶ受像機の概略構成を示すブロック図。
【図３】上記ＴＶ受像機の一群の操作ボタンの斜視図。
【図４】上記ＴＶ受像機における操作ボタン実行処理の手順を示すフローチャート。
【図５】上記ＴＶ受像機のディスプレイに表示される操作内容ＯＳＤの一例を示す説明図。
【図６】上記ＴＶ受像機の変形例における一群の操作ボタンの斜視図。
【図７】上記ＴＶ受像機の変形例においてディスプレイに表示される操作内容ＯＳＤの一例を示す説明図。
【発明を実施するための最良の形態】
【００１８】
本発明の一実施形態に係るテレビジョン（以下、ＴＶという）受像機（請求項における表示装置）について、図１乃至図３を参照して説明する。図１は、リモコン２及び一群の操作ボタン（以下、操作ボタン群という）１６により操作されるＴＶ受像機１の外観を示し、図２は、ＴＶ受像機１の内部構成を示し、図３は、操作ボタン群１６の外観を示す。ＴＶ受像機１は、ユーザによるリモコン２や操作ボタン群１６の操作に応じた動作（処理）を行うものである。
【００１９】
ＴＶ受像機１は、図２に示すように、アンテナ１１に接続され、デジタル放送信号を受信するチューナ部１２と、デコーダ部１３と、ＴＶ番組の映像やＯＳＤ（Ｏｎ−Ｓｃｒｅｅｎ  Ｄｉｓｐｌａｙ）を表示するディスプレイ（表示手段）１４と、音声を出力するスピーカ１５と、ユーザによって操作される（装置本体側に設けられた）操作ボタン群１６とを備える。また、ＴＶ受像機２は、リモコン２から送信される操作信号を受信するリモコン信号受信部１７と、各種情報を記憶したメモリ１８と、ＢＤプレーヤ等の外部機器から映像信号及び音声信号を受信するための外部入力部１９と、装置各部を制御するための制御用マイコン（制御手段）１０とをさらに備える。
【００２０】
チューナ部１２は、アンテナ１１を介して、放送局から配信される各チャンネルのデジタル放送信号を受信する。デジタル放送信号には、ＴＶ番組の映像信号及び音声信号と、配信されるＴＶ番組の番組タイトル等の番組情報とが含まれている。
【００２１】
デコーダ部１３は、チューナ部１２によって受信されたデジタル放送信号に対して復調処理や誤り訂正処理等を行い、多重化された信号から必要なＴＳ（トランスポートストリーム）パケットを分離するＴＳ変換回路（図示せず）、分離した各ＴＳパケットに対して復号化処理を行う映像デコード回路（図示せず）、音声デコード回路（図示せず）、及びデータデコード回路（図示せず）等から構成される。
【００２２】
映像デコード回路は、映像信号を含むＴＳパケットに対して復号化処理を行い、映像信号を抽出し、抽出した映像信号を制御用マイコン１０に出力する。音声デコード回路は、音声信号を含むＴＳパケットに対して復号化処理を行い、音声信号を抽出し、抽出した音声信号を制御用マイコン１０に出力する。データデコード回路は、ＳＩ（Ｓｅｒｖｉｃｅ  Ｉｎｆｏｒｍａｔｉｏｎ）データを含むＴＳパケットに対して復号化処理を行い、ＳＩデータを抽出し、抽出したＳＩデータを制御用マイコン１０に出力する。ＳＩデータは、ＴＶ番組の番組情報が格納されたＥＩＴ（Ｅｖｅｎｔ  Ｉｎｆｏｒｍａｔｉｏｎ  Ｔａｂｌｅ）等を有している。
【００２３】
ディスプレイ１４は、チューナ部１２によって受信されたＴＶ番組の映像や、ＯＳＤを表示する。ディスプレイ１４は、ＴＶ番組の映像とＯＳＤとが重畳した映像を表示することもできる。スピーカ１５は、チューナ部１２によって受信されたＴＶ番組の音声を出力する。
【００２４】
操作ボタン群１６は、図３に示すように、複数の操作ボタン１６ａ〜１６ｆを備えている。複数の操作ボタン１６ａ〜１６ｆは、ＴＶ受像機１の筐体背面１ａに左右方向に並んで配置されている。筐体背面１ａには、複数の操作ボタン１６ａ〜１６ｆのそれぞれの操作内容について何ら表示されていない。メモリ１８は、制御用マイコン１０を動作させるためのプログラム１８ａを格納している。
【００２５】
制御用マイコン１０は、映像出力部１０ａと、音声出力部１０ｂと、ＯＳＤ表示部（ＯＳＤ表示手段）１０ｃとを有し、ユーザによるリモコン２や操作ボタン群１６の操作に基づいてＴＶ受像機１の制御処理を行う。制御用マイコン１０は、ユーザによって操作ボタン群１６のいずれかの操作ボタンが操作されると、すべての操作ボタン１６ａ〜１６ｆの操作内容等を含むＯＳＤ（以下、操作内容ＯＳＤという）を表示した後に、操作された操作ボタンに対応する処理を実行する一連の処理（以下、操作ボタン実行処理という）を行う。
【００２６】
映像出力部１０ａは、デコーダ部１３から受信したＴＶ番組の映像信号をディスプレイ１４に出力する。音声出力部１０ｂは、デコーダ部１３から受信したＴＶ番組の音声信号をスピーカ１５に出力する。
【００２７】
ＯＳＤ表示部１０ｃは、操作内容ＯＳＤを表示するための映像信号をディスプレイ１４に出力してディスプレイ１４に操作内容ＯＳＤを表示させる。操作内容ＯＳＤは、操作ボタン１６ａ〜１６ｆのそれぞれに対応する操作ボタン画像と、操作ボタン１６ａ〜１６ｆのそれぞれの操作内容とを含む。
【００２８】
次に、ＴＶ受像機１における操作ボタン実行処理の手順について、図４に示すフローチャートを参照して説明する。
【００２９】
まず、ユーザによって操作ボタン群１６の中からいずれかの操作ボタンが操作されると（Ｓ１）、制御用マイコン１０は、ＯＳＤ表示部１０ｃを用いて、操作内容ＯＳＤをディスプレイ１４に表示する（Ｓ２）。ここでディスプレイ１４に表示される操作内容ＯＳＤは、ユーザによって操作された操作ボタンに対応する操作ボタン画像を赤色で表示し、操作ボタン群１６のうちの他の操作ボタンに対応する操作ボタン画像の表示色を白色で表示する。具体的には例えば、ユーザによって操作ボタン１６ａが操作された場合、操作内容ＯＳＤにおいて、この操作ボタン１６ａに対応する操作ボタン画像を赤色で表示し、他の操作ボタン１６ｂ〜１６ｆに対応する操作ボタン画像を白色で表示する。
【００３０】
そして、ユーザが直前に操作した操作ボタンと同じ操作ボタンを再度操作した場合（Ｓ３でＹＥＳ）、制御用マイコン１０は、ユーザによって操作された操作ボタンに対応する処理を実行する（Ｓ４）。一方、ユーザが直前に操作した操作ボタンとは異なる操作ボタンを操作した場合（Ｓ３でＮＯ）、制御用マイコン１０は、上記Ｓ２以降の処理を再度実行する。すなわち、具体的には例えば、上記Ｓ１でユーザによって操作ボタン１６ａが操作されていた場合に、ユーザによって再度操作ボタン１６ａが操作されると（上記Ｓ３でＹＥＳに相当）、制御用マイコン１０は、操作ボタン１６ａに対応する処理を実行する（上記Ｓ４に相当）。一方、上記Ｓ３において、ユーザによって操作ボタン１６ａではなくて、操作ボタン１６ｂが操作された場合（上記Ｓ３でＮＯに相当）、制御用マイコン１０は、操作ボタン１６ｂに対応する操作ボタン画像を赤色で表示し、他の操作ボタン１６ａ、１６ｃ〜１６ｆに対応する操作ボタン画像を白色で表示した操作内容ＯＳＤをディスプレイ１４に表示する（上記Ｓ２に相当）。
【００３１】
次に、ＴＶ受像機１のディスプレイ１４に表示される操作内容ＯＳＤの一例について、図５を参照して説明する。ここでは、ユーザによって操作ボタン１６ｃが操作されたときに、ディスプレイ１４に表示される操作内容ＯＳＤ４０を示す。
【００３２】
ディスプレイ１４に表示される操作内容ＯＳＤ４０は、操作ボタン１６ａ〜１６ｆのそれぞれに対応する操作ボタン画像３１ａ〜３１ｆと、操作ボタン１６ａ〜１６ｆのそれぞれの操作内容を示す操作内容表示３２ａ〜３２ｆとを含む。操作ボタン画像３１ａ〜３１ｆは、ＴＶ受像機１の筐体背面１ａにおける操作ボタン１６ａ〜１６ｆの配置（図３参照）と同様に、操作内容ＯＳＤ４０において左右方向に配置される。操作ボタン画像３１ａ〜３１ｆは、順に操作ボタン１６ａ〜１６ｆに対応する。
【００３３】
操作内容表示３２ａは、操作ボタン１６ａの操作内容（入力切換（Ｓｏｕｒｃｅ））を示し、操作内容表示３２ｂは、操作ボタン１６ｂの操作内容（音量アップ（Ｖｏｌ＋））を示し、操作内容表示３２ｃは、操作ボタン１６ｃの操作内容（音量ダウン（Ｖｏｌ−））を示す。操作内容表示３２ｄは、操作ボタン１６ｄの操作内容（チャンネルアップ（Ｃｈ＋））を示し、操作内容表示３２ｅは、操作ボタン１６ｅの操作内容（チャンネルダウン（Ｃｈ−））を示し、操作内容表示３２ｆは、操作ボタン１６ｆの操作内容（電源オン・オフ切換（Ｐｏｗｅｒ））を示す。
【００３４】
操作内容ＯＳＤ４０では、ユーザによって操作された操作ボタン１６ｃに対応する操作ボタン画像３１ｃが赤色で表示されており、それ以外の操作ボタン画像３１ａ、３１ｂ、３１ｄ〜３１ｆは、白色で表示されている。そして、ユーザによって再度操作ボタン１６ｃが操作されると、制御用マイコン１０が操作ボタン１６ｃに対応する操作内容（音量ダウン）を実行する。なお、ユーザによって操作された操作ボタン１６ｃに対応する操作ボタン画像３１ｃの表示色は、操作ボタン群１６のうちの他の操作ボタン１６ａ、１６ｂ、１６ｄ〜１６ｆに対応する操作ボタン画像３１ａ、３１ｂ、３１ｄ〜３１ｆの表示色と異なるものであればよい。また、ユーザによって操作された操作ボタン１６ｃに対応する操作ボタン画像３１ｃを点滅させて表示し、操作ボタン群１６のうちの他の操作ボタン１６ａ、１６ｂ、１６ｄ〜１６ｆに対応する操作ボタン画像３１ａ、３１ｂ、３１ｄ〜３１ｆを点灯させて表示してもよい。
【００３５】
操作内容ＯＳＤ４０のディスプレイ１４内における表示位置は、ディスプレイ１４内の下方である。すなわち、操作ボタン群１６が筐体背面１ａの下方に位置しているため、これに模した位置（ここではディスプレイ１４内の下方）に操作内容ＯＳＤ４０が表示される。
【００３６】
次に、本実施形態に係るＴＶ受像機１の変形例について、図６及び図７を参照して説明する。図６は、操作ボタン群１６の斜視図を示し、図７は、ディスプレイ１４に表示される操作内容ＯＳＤ５０を示す。本変形例は、操作ボタン１６ａ〜１６ｆがＴＶ受像機１の筐体背面１ａの右方に上下方向に配置されており、ユーザによって操作ボタン１６ａ〜１６ｆのいずれかの操作ボタンが操作されると、図７に示す操作内容ＯＳＤ５０がディスプレイ１４に表示されること以外は、上記図１及び図２に示したＴＶ受像機１と同様の構成であり、同一符合は同一構成を示すものである。
【００３７】
ユーザによって操作ボタン１６ａ〜１６ｆのいずれかが操作されると、制御用マイコン１０は、ＯＳＤ表示部１０ｃを用いて、図７に示す操作内容ＯＳＤ５０をディスプレイ１４に表示する。操作内容ＯＳＤ５０には、操作ボタン画像３１ａ〜３１ｆと、操作内容表示３２ａ〜３２ｆとが含まれる。操作ボタン画像３１ａ〜３１ｆは、筐体背面１ａにおける操作ボタン１６ａ〜１６ｆの（上下方向の）配置（図６参照）と同様に、操作内容ＯＳＤ５０において上下方向に配置される。
【００３８】
操作内容ＯＳＤ５０のディスプレイ１４内における表示位置は、ディスプレイ１４内の右方である。すなわち、操作ボタン群１６が筐体背面１ａの右方に位置しているため、これに模した位置（ディスプレイ１４内の右方）に操作内容ＯＳＤ５０が表示される。
【００３９】
上述したように、本実施形態に係るＴＶ受像機１においては、ユーザによって操作ボタン群１６のうちのいずれかの操作ボタンが操作されると、操作ボタン群１６のそれぞれの操作内容表示３２ａ〜３２ｆを含む操作内容ＯＳＤ４０、５０をディスプレイ１４に表示する。そのため、操作ボタン群１６のそれぞれの操作内容をユーザが容易に知ることができるので、ユーザは、所望の操作内容を行う操作ボタンを容易に探し出すことができ、誤操作を防止することができる。また、ユーザが操作ボタン群１６の中から所望の操作ボタンを探し出す手間も低減できる。
【００４０】
また、操作内容ＯＳＤ４０、５０を表示した後、再度、同じ操作ボタンが操作された場合に、操作された操作ボタンに対応する処理を実行するので、ユーザは、操作内容ＯＳＤ４０、５０により、操作ボタンに対応する操作内容を確認した後に、操作ボタンに対応する処理の実行を指示するか否かを決めることができる。従って、操作ボタンの誤操作により、ユーザの意図しない処理が実行されることを防ぐことができる。
【００４１】
また、操作内容ＯＳＤ４０、５０において、ユーザによって操作された操作ボタンに対応する操作ボタン画像３１ａ〜３１ｆを、操作ボタン群１６のうちの他の操作ボタンに対応する操作ボタン画像３１ａ〜３１ｆとは異なる表示形式で表示する。そのため、ユーザは、自身が操作している操作ボタンに対応する操作ボタン画像３１ａ〜３１ｆを容易に探し出すことができると共に、その操作ボタンの操作内容を容易に知ることができる。従って、操作ボタンの誤操作により、ユーザの意図しない処理が実行されることを防ぐことができる。
【００４２】
また、操作内容ＯＳＤ４０、５０において、ユーザによって操作された操作ボタンに対応する操作ボタン画像３１ａ〜３１ｆの表示色を、操作ボタン群１６のうちの他の操作ボタンに対応する操作ボタン画像３１ａ〜３１ｆの表示色とは異なる表示色で表示する。そのため、ユーザは、自身が操作している操作ボタンに対応する操作ボタン画像３１ａ〜３１ｆをさらに容易に探し出すことができると共に、その操作ボタンの操作内容をより容易に知ることができる。従って、操作ボタンの誤操作により、ユーザの意図しない処理が実行されることを防ぐことができる。
【００４３】
また、操作内容ＯＳＤ４０、５０内に表示される操作ボタン群１６のそれぞれに対応する操作ボタン画像３１ａ〜３１ｆの配置は、筐体本体（筐体背面１ａ）における操作ボタン群１６のそれぞれの配置を模したものである。そのため、ユーザは、操作ボタン１６ａ〜１６ｆの配置と、操作ボタン画像３１ａ〜３１ｆの配置とを参照することにより、自身が操作している操作ボタン１６ａ〜１６ｆに対応する操作ボタン画像３１ａ〜３１ｆを、容易に探し出すことができる。
【００４４】
また、ディスプレイ１４内における操作内容ＯＳＤ４０、５０の表示位置を、筐体背面１ａにおける操作ボタン群１６の位置に模した位置に表示させる。そのため、ユーザは、筐体背面１ａにおける操作ボタン群１６の位置を参照することにより、ディスプレイ１４内に表示される操作内容ＯＳＤ４０、５０を容易に見つけることができる。
【００４５】
なお、本発明は、上記実施形態の構成に限られず、発明の趣旨を変更しない範囲で種々の変形が可能である。例えば、上記実施形態では、請求項に示す表示装置がＴＶ受像機である例を示したが、これに限られず、ＯＳＤが表示可能であり、操作ボタン群を有する表示装置であればよい。また、上記実施形態では、操作ボタン群がＴＶ受像機の筐体背面に設けられている例を示したが、これに限られず、ＴＶ受像機の筐体の上下側面や左右側面や前面に設けられていてもよい。
【符号の説明】
【００４６】
１  ＴＶ受像機（表示装置）
１０  制御用マイコン（制御手段）
１４  ディスプレイ（表示手段）
１６  操作ボタン群（一群の操作ボタン）
４０、５０  操作内容ＯＳＤ（ＯＳＤ）
１０ｃ  ＯＳＤ表示部（ＯＳＤ表示手段）
１６ａ〜１６ｆ  操作ボタン
３１ａ〜３１ｆ  操作ボタン画像
３２ａ〜３２ｆ  操作内容表示
【図１】
2012160952.tif 000003
【図２】
2012160952.tif 000004
【図３】
2012160952.tif 000005
【図４】
2012160952.tif 000006
【図５】
2012160952.tif 000007
【図６】
2012160952.tif 000008
【図７】
2012160952.tif 000009